(57)【要約】【課題】本体部の制御状態の確認操作が容易な空気調和機を提供する。【解決手段】空気調和機本体に運転情報の送受信機能を設け、リモートコントロール装置に、前記空気調和機本体に対して運転情報の双方向通信が可能な送受信部と、操作部と、情報を表示する表示部とを設け、前記操作部には、運転情報を要求するボタンが含まれ、このボタンが操作された時に前記リモートコントロール装置から空気調和機本体に対して運転情報を要求する情報の送信が行われ、一定時間経過前に空気調和機本体からの運転情報に関する信号が受信されれば、前記表示部に受信された運転情報を表示し、一定時間経過するまでに前記空気調和機本体からの運転情報に関する信号が受信されなければ前記表示部に受信失敗の表示を行なうことを特徴とする空気調和機。【選択図】図１
2007101174.tif 000002
【特許請求の範囲】
【請求項１】
空気調和機本体に運転情報の送受信機能を設け、リモートコントロール装置に、前記空気調和機本体に対して運転情報の双方向通信が可能な送受信部と、操作部と、情報を表示する表示部とを設け、前記操作部には、運転情報を要求するボタンが含まれ、このボタンが操作された時に前記リモートコントロール装置から空気調和機本体に対して運転情報を要求する情報の送信が行われ、一定時間経過前に空気調和機本体からの運転情報に関する信号が受信されれば、前記表示部に受信された運転情報を表示し、一定時間経過するまでに前記空気調和機本体からの運転情報に関する信号が受信されなければ前記表示部に受信失敗の表示を行なうことを特徴とする空気調和機。
【請求項２】
空気調和機本体に運転情報の送受信機能を設け、リモートコントロール装置に、前記空気調和機本体に対して運転情報の双方向通信が可能な送受信部と、操作部と、情報を表示する表示部とを設け、前記操作部には、運転情報を要求するボタンが含まれ、このボタンが操作された時に前記リモートコントロール装置から空気調和機本体に対して運転情報を要求する情報の送信が行われ、一定時間経過前に空気調和機本体からの複数種の運転情報を含む信号が受信されれば、前記表示部に受信された複数種の運転情報を順次切り替えて表示することを特徴とする空気調和機。
【請求項３】
前記表示部はドットマトリクス形の第１の表示部及び予め表示パターンが印刷されている第２の表示部からなる液晶表示部であり、前記空気調和機本体から受信した複数種の運転情報を前記第１の表示部に順次切り替えて表示することを特徴とする請求項２に記載の空気調和機。
【請求項４】
前記リモートコントロール装置は、前記空気調和機本体から受信した運転情報を絵文字で表示することを特徴とする請求項１または２に記載の空気調和機。
【請求項５】
前記リモートコントロール装置は、前記空気調和機本体から受信した運転情報を前記表示部に動画で表示すると共に、運転情報を強調する画像を最終画像として他の画像よりも長い時間表示することを特徴とする請求項１または２に記載の空気調和機。
【発明の詳細な説明】
【技術分野】
【０００１】
本発明は、空気調和機を遠隔制御するワイヤレス式のリモートコントロール装置を備えた空気調和機に関する。
【背景技術】
【０００２】
例えば、空気調和機に用いられているこの種の従来のリモートコントロール装置（以下、リモコン装置とも言う）は一方向通信しか行わず、例えば、図１７に示すような外観形状を有していた。同図において、リモコン装置１は空気調和機の運転条件、例えば冷房モード、ドライモード、送風モード、運転オン、オフ、室内設定温度、タイマ時刻、タイマ時間などを使用者のボタン操作に応じて設定し、それを制御対象機器である空気調和機に赤外線光にて送信する。
【０００３】
リモコン装置１の本体には、上面の略半分から上の部分に、液晶表示部２、温度設定ボタン（一般にキーとも称される）３，４、一時間運転ボタン５、空気清浄の運転，停止ボタン６、エアコンの運転、停止ボタン７が設けられる。液晶表示部２は、各種運転条件を文字、イラスト、マークなどで表示する。
【０００４】
本体上面の略半分から下の部分に、上下方向にスライド開閉が可能な扉８が設けられる。この扉８をスライドして開けると、操作盤面が露出し、そこに、健康気流ボタン９、健康ドライボタン１０、除湿ボタン１１、スイングボタン１２、風向ボタン１３、風量ボタン１４、運転切換ボタン１５、まろやか運転ボタン１６、タイマ入ボタン１７、タイマ切ボタン１８、タイマ調節ボタン１９、予約ボタン２０、取消ボタン２１、リセットボタン２２、時計ボタン２３、点検ボタン２４及びパワーセレクトボタン２５が設けられる。
【０００５】
これら多数のボタンのうち、主要なものの機能を以下に説明する。健康気流ボタン９は居住者に風を当てない運転を、健康ドライボタン１０は居住者に風を当てない除湿運転いわゆる健康ドライ運転をそれぞれ設定するものである。除湿ボタン１１は、高い除湿能力を発揮する運転を設定するもので、スイングボタン１２は吹出ルーバのスイング動作のオン、オフを設定するもの、風向ボタン１３は吹出ルーバーの方向（吹出風の方向）を設定するもの、風量ボタン１４は吹出風量を設定するものである。
【０００６】
タイマ入ボタン１７はタイマによる運転開始時刻を設定するためのもの、タイマ切ボタン１８はタイマによる運転停止時刻を設定するもの、タイマ調節ボタン１９はタイマによる運転時間を設定するものである。また、リセットボタン２２はタイマの設定時刻をリセットし、時計ボタン２３は現在時刻を設定するもの、点検ボタン２４はリモコン装置１から点検信号を送信する指令を与えるものである。上述したリモコン装置１はＣＰＵ（マイクロコンピュータ）を主体とする制御部を備え、図示省略の空気調和機本体もまたＣＰＵを備えている。
【０００７】
図１８は、空気調和機の本体部に異常が発生し、これに応じて本体部のランプが点滅した場合における、リモコン装置と本体部間の信号の伝達状態と、これに対応するリモコン装置の操作に伴うＣＰＵの処理手順を示すフローチャートである。この場合、（ａ）に示すように、空気調和機に異常が発生したことにより本体ランプが点滅したとする。この状態で使用者がリモコン装置の点検ボタン２４をオン操作するとリモコン装置か
ら空気調和機に点検コードが送信される。これに応じて空気調和機は受信コードに対応する部位の異常の有無を調べ、異常があればブザー音で報知する。この場合、予め定めた一つの点検コードにてブザー音の長短を確認した後、点検ボタン２４のオン操作により次の点検コードを送信し、以下、同様な点検動作を最大２０項目に亘って実施することができる。
【０００８】
かかる点検に際して、（ｂ）に示すように、ステップ101で点検ボタン２４を押すと、ステップ102で点検コードを液晶表示部２に表示する。そして、ステップ103で再び点検ボタンが押されたことを確認した後、点検内容を変更するべく、ステップ104でコード増大ボタン（例えば、タイマ調節ボタン１９で兼用）が押されたか否かを調べ、押されておればステップ105にて点検コードを「１」インクリメントした後、ステップ102以下の処理を実行する。一方、ステップ104でコード増大ボタンが押されないと判定した場合には、ステップ106でコード減少ボタンが押されたか否かを調べ、押されておればステップ108にて点検コードを「１」デクリメントした後、ステップ102以下の処理を実行する。
また、ステップ104でコード増大ボタンが押されないと判定した場合には、ステップ107で点検モードを解除し、ステップ101以下の処理を実行する。
【０００９】
図１９は上述したリモコン装置の処理に対応する空気調和機本体部の処理手順を示すフローチャートである。この場合、ステップ201で異常を検出すると、ステップ202で本体部のランプの異常表示ランプを点滅させる。その後に、リモコン装置からの点検コードを受信したか否かを判定し、受信していなければステップ201以下の処理を実行し、受信した場合にはステップ204以下の処理に移る。ステップ204では受信コードと異常になった部位のコードとが一致するか否かを調べ、一致した場合にはステップ205にて時間の長いブザー音を発生し、ステップ207で全本体ランプを点滅させる。そして、ステップ208で別の点検コードを受信したか否かを調べ、受信していないときは全本体ランプの点滅を継続し、受信した場合にはステップ204以下の処理を実行する。一方、ステップ204で受信コードと異常コードとが一致していないと判定した場合にはステップ206にて時間の短いブザー音を発生した後ステップ201以下の処理を実行する。
【発明の開示】
【発明が解決しようとする課題】
【００１０】
以上、代表的なリモコン装置の概略構成と、このリモコン装置を用いた処理手順の一例として、空気調和機の異常点検について説明したが、従来のリモコン装置は、リモコン装置から本体部に対しての一方向通信しかできなかった。
【００１１】
本発明は、上記の事情を考慮してなされたもので、その目的は、本体部の制御状態の確認操作が容易な空気調和機を提供するにある。
【課題を解決するための手段】
【００１２】
請求項１に係る発明は、空気調和機本体に運転情報の送受信機能を設け、リモートコントロール装置に、前記空気調和機本体に対して運転情報の双方向通信が可能な送受信部と、操作部と、情報を表示する表示部とを設け、前記操作部には、運転情報を要求するボタンが含まれ、このボタンが操作された時に前記リモートコントロール装置から空気調和機本体に対して運転情報を要求する情報の送信が行われ、一定時間経過前に空気調和機本体からの信号が受信されれば、前記表示部に受信内容を表示し、一定時間経過するまでに前記空気調和機本体からの運転情報に関する信号が受信されなければ前記表示部に受信失敗の表示を行なうことを特徴とするものである。
【００１３】
請求項２に係る発明は、空気調和機本体に運転情報の送受信機能を設け、リモートコントロール装置に、前記空気調和機本体に対して運転情報の双方向通信が可能な送受信部と、操作部と、情報を表示する表示部とを設け、前記操作部には、運転情報を要求するボタンが含まれ、このボタンが操作された時に前記リモートコントロール装置から空気調和機本体に対して運転情報を要求する情報の送信が行われ、一定時間経過前に空気調和機本体からの複数種の運転情報を含む信号が受信されれば、前記表示部に受信された複数種の運転情報を順次切り替えて表示することを特徴とするものである。
【発明を実施するための最良の形態】
【００１４】
以下、本発明を図面に示す好適な実施形態に基づいて詳細に説明する。図１は本発明に係るリモコン装置の第１の実施形態の構成を示す部分平面図であり、リモコン装置１Ａは空気調和機を遠隔制御の対象としたもので、ボタン入力部は図１７を用いて説明したと略同様であるので省略し、本発明に関係する液晶表示部２を示したものである。ここで、液晶表示部２はドットマトリクス形のドットマトリクス表示部２Ａと、予め表示パターンが印刷されているアイコン表示部２Ｂとを備えている。図２０に示した従来のリモコン装置は、表示部２に表示すべき設定情報に対応する全てのパターンを印刷し、これらを選択して表示する構成であったため、設定機能が増えるほどパターンが増加して使用者が認識し難く、表示画素数にも制限があった。
【００１５】
ところが、パターン印刷による表示画面は慣用的に使用されており、点滅制御も比較的容易であるため、その表示画素数を抑えることによって、その利点を活かすことができる。第１の実施形態はこの考えに基づき、アイコン表示部２Ｂには従来装置と同様なパターンを、その数を減らして印刷した表示画面とし、このアイコン表示部２Ｂに表示し難い画像又は所望とする新規な像をドットマトリクス表示部２Ａに表示するものである。
【００１６】
この場合、ドットマトリクス表示部２Ａはドットマトリクス表示画面で構成されているため、従来装置では狭い領域を用いた表示しかできなかった内容をより広い画面で拡大表示でき、また、表示画面を順次切替えることによって、設定機能の増大にも対応できることになる。
【００１７】
ところで、ドットマトリクス表示部２Ａとアイコン表示部２Ｂとは別個のものを用いたり、あるいは、一体構成にしたりすることができる。これらを一体構成にしたとき、ドットマトリクス表示部２Ａから見たアイコン表示部２Ｂ側の境界部の液晶ガラス面に多数の電極を配設する必要がある。また、液晶ガラス面に配設した電極を覆う必要性もでてくる。この第１の実施形態では筺体を構成する表面カバーに、略一定幅の分離枠２６を形成して、液晶ガラス面に形成された電極を覆うようにしている。
【００１８】
図２はリモコン装置に搭載される制御回路の構成を示すブロック図である。図２において、制御の中枢となるＣＰＵ３０に、ドットマトリクス表示部２Ａ、アイコン表示部２Ｂを含む液晶表示部２、ボタン入力部３１、Ｉ／Ｏ（入出力）ポート３２、発振回路３３、送信部３４及び電池３５が接続されている。
【００１９】
ボタン入力部３１は、表面部の各ボタンを構成要件としており、ボタン操作に応じた信号をＣＰＵ３０に加える。発振回路３３は動作に必要な所定周波数のクロック信号を発生する。送信部３４はボタン操作により設定される運転条件を赤外線光により空気調和機本体部４０に送信する。ここで、ＣＰＵ３０は主要な機能手段として次の（１）ないし（７）を備える。
（１）ボタン操作に従って各種運転条件を設定する手段。
（２）設定した運転条件を送信部３４から空気調和機本体部４０に送る手段。
（３）ボタン操作がないとき、予め設定されたタイマによる運転開始時刻及び運転終了時刻をドットマトリクス表示部２Ａに表示し、各種運転条件の基本パターン情報をアイコン表示部２Ｂに表示する制御手段。
（４）ボタン操作があったとき、そのボタン操作に対応する運転条件を表示する表示手段。
（５）ボタン操作に際し、そのボタン操作に対応する運転条件の設定が可能な状況にあるか否かを判定する判定手段。
（６）判定手段で設定不可能が判定されるとその旨の説明文をドットマトリクス表示部２Ａに表示する。
（７）電池３５がセットされたとき、又はリセットボタン２２（図１７参照）の操作による動作リセット時、当該装置の初期設定に関する説明文をドットマトリクス表示部２Ａに表示する。
【００２０】
なお、この第１の実施形態ではタイマによる時刻設定と説明文とをドットマトリクス表示部２Ａに表示したが、表示内容は使用者が認識し易い項目を適宜選択し、また必要に応じてドットマトリクス表示部２Ａに切替え表示するようにしても良い。
【００２１】
かくして、図１及び図２に示した第１の実施形態によれば、従来装置で用いられたアイコン表示部２Ｂの他にドットマトリクス表示部２Ａを設け、使用者が認識すべき内容に応じてこれらの表示部を選択的に使用できるようにしたので、多種多様の表示情報を小スペースで強調表示でき使用者が運転情報（設定モード、制御状況）を的確に識別することが可能になる。
【００２２】
なお、第１の実施形態ではタイマによる時刻設定と説明文をドットマトリクス表示部２Ａに表示したが、表示内容は使用者が認識し易い項目を適宜選択し、また必要に応じてドットマトリクス表示部２Ａに切替え表示するようにしても良い。
【００２３】
図３は本発明に係るリモコン装置の第２の実施形態の構成を示す部分平面図である。図１に示した第１の実施形態は液晶ガラス面に配設した電極を覆う必要性から、筺体を構成する表面カバーに、略一定幅の分離壁を形成したが、この第２の実施形態によるリモコン装置１Ｂはドットマトリクス表示部２Ａとアイコン表示部２Ｂの境界部の液晶ガラスの表面に、例えばシルク印刷により、幅が一定の非透光性の分離帯２７を形成したものである。これによって図１に示した分離枠２６と同様な効果が得られる。なお、分離帯２７は非透光性の細線を複数本並べて形成しても、あるいは、文字やマークを印刷するようにしても良い。
【００２４】
図４は本発明に係るリモコン装置の第３の実施形態の構成を示す部分平面図である。図１又は図３に示した各実施形態は液晶表示をポジ方式で表現したが、この第３の実施形態によるリモコン装置１Ｃはドットマトリクス表示部２Ａとアイコン表示部２Ｂとをネガ方式で表現すると共に、これらの表示部の各反射偏光板色を別にして２種類の液晶表示色としたものである。これによって、表示情報の識別効果をさらに高めることが
できる。
【００２５】
図５（ａ）〜（ｊ）は空気調和機の運転開始時又は運転停止時に、予め設定された運転条件を、ドットマトリクス表示部２Ａを用いて使用者に認識させるために、順次切り替え拡大表示する表示画面例である。
このうち、（ａ）は冷房、強風運転を開始した場合のもので、「冷房」の文字、「風鈴」の動画、「冷房」の文字及び「微風」の文字を順次表示している。設定温度に関してはアイコン表示部２Ｂにて大きく表示しているので、ドットマトリクス表示部２Ａには表示されない。文字又は動画をドットマトリクス表示部２Ａの表示画面の全体を用いて、すなわち、拡大して表示するようにすれば、運転条件を使用者に容易に認識させることができる。（ｂ）は空気清浄運転が可能な空気調和機において、空気清浄機の併用運転開始時の表示例であり、「空清」の文字が追加されている。（ｃ）は強力運転を追加して設定できる空気調和機において、運転開始時に強力運転を行うことを「パワフル」の文字を追加して表示している。（ｄ）は運転開始時に一連のドット表示を行った後に、再度、「冷房」の運転モードを表示する例である。（ｅ）は運転モードを再表示した後に現在時刻を表示する例である。（ｆ）は運転開始時に一連の表示を行った後、常に運転モードを表示し続ける表示例である。これにより現在どのようなモードで運転されているかが分かることになる。（ｇ）はタイマ運転を予約したときの表示例で、一連の表示を行った後に、タイマによる予約時間を表示し、１２時３０分まで冷房モードの運転が予約されていることが分かる。（ｈ）は空気調和機の運転を停止させるときの表示例で、「停止」の文字を表示した後、現在時刻を表示した例である。（ｉ）はタイマで予約設定を行っている際に、タイマ予約時刻になると運転コードを送信するものにおいて、ドットマトリクス表示部２Ａにも予約時刻になったことを表示する場合を示している。（ｊ）は動画表示のみを行ったもので、一般にタイマ予約時に、使用者がリモコン装置の表示部を見ていることは少ないので、表現に遊び心を持たせたものである。
【００２６】
図６は本発明に係るリモコン装置の第４の実施形態の構成を示す平面図である。この実施形態はタイマ入ボタン１７及びタイマ切ボタン１８の近傍にメニューボタン２９を設けて、機能選択及び設定値変更を行うように構成したものである。
【００２７】
図７はこれらのボタンを押して設定変更する場合のドットマトリクス表示部２Ａの表示例である。ここでは、メニューボタン２９を順次押していくと、メニュー内容が「パワーセレクト」（空気調和機の入力電流の制限値）と、「速温」（暖房起動時に急速温風吹出しをするか否か）と、「センサー」（空気清浄器の運転をガスセンサを用いて自動で行う場合のセンサ感度の調整）と、「絵」の有無とに切り替わる。そして、所望のメニューに到達したら、タイマ入ボタン１７及びタイマ切ボタン１８により設定内容を順次切り替える例を示している。例えば、メニューボタン２９で「パワーセレクト」の表示をさせている時に、タイマ入ボタン１７又はタイマ切ボタン１８を押すと、最初に現在の設定内容、例えば、「１００％」が表示され、再度押し操作をすると「７５％」の表示に替わる。そして、押し操作を繰返すことによって予め設定された入力電流の制限内容が順に繰返して表示される。
【００２８】
図８中、（ａ）は「絵」あり、「絵」なしをタイマ入ボタン１７又はタイマ切ボタン１８で表示したときの表示例である。（ｂ）はメニューボタン２９で動画の表示間隔を変化させる場合の表示例で、「絵」「速い」、「絵」「遅い」、「絵」「なし」を切り替えるようになっている。（ｃ）はメニューボタン２９で表示間隔を切り替える場合を示し、この場合には、「表示」「速い」、「表示」「遅い」の切り替えを可能にしたものである。（ｄ）はこの表示間隔の切り替えに応じて各パターンの表示時間を併せて例示したものである。（ｅ）は表示言語を英語と日本語に切り替える場合のメニュー内容を示したもので、例えば英語に設定した場合、（ｄ）中の「冷房」が「ＣＯＯＬ」に、「微風」が「ＳＯＦＴ」に表示されることになる。
【００２９】
図９は本発明に係る空気調和機の一実施形態を構成するリモートコントロール装置（以下、リモコン装置という。）の構成を示す平面図である。このリモコン装置１Ｅは液晶表示部２中にアイコン表示部２Ｂとドットマトリクス表示部２Ａとを備え、かつ、空気調和機本体部４０と双方向通信を可能にする送受信部を備えている。このリモコン装置１Ｅに搭載される制御回路は、図１０に示すように、送信ユニット３６Ａ及び受光ユニット３６Ｂを有する送受信部３６がＣＰＵ３０に接続されている。また、空気調和機本体部４０もまた送信ユニット４０Ａ及び受光ユニット４０Ｂを備え、リモコン装置１Ｅと空気調和機本体部４０とが双方向通信可能に構成されている。
【００３０】
この実施形態は使用者が認識すべき内容に応じてドットマトリクス表示部２Ａ及びアイコン表示部２Ｂを選択的に使用する他、空気調和機の実際の運転情報をドットマトリクス表示部２Ａに表示させて運転状態を手元で確認できるように講じたものである。一般に、空気調和機の運転情報として知りたい項目は、現在の室内温度、室外温度、室内風量、消費電力等であるが、それぞれの内容をドットマトリクス表示部２Ａに順次表示することができる。
【００３１】
図１１はこれらの制御内容の一例を示したもので（ａ）はリモコン装置と空気調和機本体部の信号授受の関係を示したもので、（ｂ）はこれに伴うＣＰＵ３０の処理手順を示したフローチャートである。いま、運転情報を手元で確認するべくリモコン装置でボタン操作すると送信内容がドットマトリクス表示部２Ａに表示されると共に、リモコン装置から空気調和機本体部に対して運転情報を要求する信号が送信される。これに応じて空気調和機本体部４０が運転情報をリモコン装置１Ｅに送信すると、リモコン装置１Ｅはその情報をドットマトリクス表示部２Ａに表示して待機することになる。
【００３２】
この場合、リモコン装置１Ｅを構成するＣＰＵ３０はステップ111にて室内温度、室内風量等の送信を要求する図示省略のボタンが操作されたか否かを判定し、ボタンが操作されたと判定すればステップ112で運転情報を要求する信号を送信すると共に、送信内容をドットマトリクス表示部２Ａに表示する。そして、ステップ113で一定時間が経過したことを確認し、ステップ114で受信信号があるか否かを判定し、受信信号有りと判定した場合にはステップ115にて受信内容をドットマトリクス表示部２Ａに表示する。
【００３３】
この場合、複数の運転情報をドットマトリクス表示部２Ａに順次切替え表示しても、あるいは、設定運転条件とこれに対応する運転情報とを交互に表示するようにしてもよい。
【００３４】
かくして、この実施形態によるリモコン装置によれば、使用者が要求する表示情報を的確に識別することが可能となる。
【００３５】
なお、空気調和機本体部４０と双方向通信を行って、手元で運転情報の確認を可能にするものとして、図１２に示すように、各種設定ボタンを右側の略半分の領域と上部とに配置し、左側にドットマトリクス表示部２Ａ及びアイコン表示部２Ｂを含む表示部２を配置してなるリモコン装置１Ｆとしても、あるいは、図１３に示すように、上端部にドットマトリクス表示部２Ａを、その下隣にアイコン表示部２Ｂを配置してなるリモコン装置１Ｇとしても良い。
【００３６】
双方向通信が可能なリモコン装置と空気調和機との送受信の態様として、例えば、リモコン装置に運転条件を送信する運転に関わるボタンと、運転情報を要求する双方向通信に関わるボタンとを設け、運転に関わるボタンを操作したときには、図１４（ａ）に示すように、送信内容をリモコン装置の表示部に表示してその情報を空気調和機本体部に送信し、双方向通信に関わるボタンを操作したときには、図１４（ｂ）に示すように、送信内容をリモコン装置の表示部に表示してその情報を空気調和機本体部に送信すると、空気調和機本体部がこれを受信して対応する情報、例えば、運転状況、消費電力、外気温等の情報をリモコン装置に順次送信し、リモコン装置ではこの情報を受信してドットマトリクス表示部２Ａに順次表示することができる。
【００３７】
図１４（ｃ）はこのような双方向通信を行う場合のリモコン装置のＣＰＵの処理手順を示すフローチャートである。この場合、ステップ121 で運転に関わるボタンが操作されたか否かを判定し、操作された場合にはステップ122 で運転条件の送信及び表示を実行し、操作されたボタンが運転に関わるボタンでなかった場合には双方向通信に関わるボタンが操作されたか否かを判定する。ここで、双方向通信に関わるボタンが操作されたと判定した場合には、運転情報を要求する情報の送信及び表示を実行し、ステップ125 にて一定時間を経過したか否かを判定し、一定時間を経過するまでステップ127にて信号の受信があるか否かを判定し、信号の受信があればステップ128で受信内容を表示してステップ121以下の処理に戻る。もし、ステップ125にて一定時間が経過したと判定した場合にはステップ126で受信失敗の表示を行ってステップ121以下の処理に戻る。
【００３８】
ドットマトリクス表示部２Ａを設けたことにより、運転情報としての運転モードを表示する場合、図５を用いて詳しく説明したように、一つの運転モードに対して文字と絵文字を混合して順次切替え表示したり、極端な場合には絵文字のみを切替え表示したりすることも可能である。図１５はリモコン装置で設定した運転設定情報あるいは本体部の運転情報の表示例で、（ａ）〜（ｆ）はリモコン装置で設定した運転設定情報を最初に文字で表示したのち、文字情報と同じ内容を連想させる絵文字を順次切替え表示し、最後に文字で表示する例を示し、（ｇ）は文字のみによって本体部の複数の運転情報を切替え表示する例を示している。
【００３９】
このように、ドットマトリクス表示部２Ａに絵文字や文字を用いて運転設定情報や運転情報を切替え表示することによって、その情報を使用者に確実に伝達することができる。
【００４０】
なお、ドットマトリクス表示部２Ａを設けたことにより、運転設定情報や運転情報を動画で表現することもできる。図１６（ａ）〜（ｆ）はその具体例である。これは、冷房の運転モードを表現したもので、（ａ）から（ｄ）までの画像を１秒づつ順に切替え表示した後、（ｅ）に示す「冷房」の文字を３秒間表示して運転情報を強調する。そして、リセットボタンを操作したときには（ｆ）に示すように任意の風景画等を表示する。このように、動画によって運転モードの表示に面白みを持たせ、かつ、「冷房」という静止画像を他よりも長時間表示することによって勘違いを未然に防止することができる。
【００４１】
［発明の効果］
以上の説明によって明らかなように、本発明に係る空気調和機によれば、使用者が要求する表示情報を的確に識別することが可能になるという効果が得られる。
【図面の簡単な説明】
【００４２】
【図１】本発明に係るリモコン装置の第１の実施形態の構成を示す部分平面図。
【図２】図１に示す実施形態に搭載される制御回路の構成を示すブロック図。
【図３】本発明に係るリモコン装置の第２の実施形態の構成を示す部分平面図。
【図４】本発明に係るリモコン装置の第３の実施形態の構成を示す部分平面図。
【図５】図１，３又は４に示すリモコン装置を用いて運転開始時の設定条件を使用者に認識させるための表示画面例。
【図６】本発明に係るリモコン装置の第４の実施形態の構成を示す平面図。
【図７】図６に示す実施形態の表示画面例。
【図８】図６に示す実施形態の表示画面例。
【図９】本発明に係る空気調和機の実施形態を構成するリモコン装置の平面図。
【図１０】図９に示すリモコン装置に搭載される制御回路の構成を示すブロック図。
【図１１】図９に示したリモコン装置と空気調和機本体部との動作を説明するための信号授受の状態説明図及びリモコン装置の処理手順を示すフローチャート。
【図１２】本発明に係る空気調和機の実施形態を構成するリモコン装置の他の構成例を示す平面図。
【図１３】本発明に係る空気調和機の実施形態を構成するリモコン装置のもう一つ他の構成例を示す平面図。
【図１４】図９に示したリモコン装置と空気調和機本体部との動作を説明するための信号授受の状態説明図及びリモコン装置の処理手順を示すフローチャート。
【図１５】図９に示した実施形態のリモコン装置を構成する液晶表示部の表示画面例。
【図１６】図９に示した実施形態のリモコン装置を構成する液晶表示部の表示画面例。
【図１７】空気調和機に用いられる従来のリモコン装置の構成を示す平面図。
【図１８】図１７に示したリモコン装置が空気調和機本体部に信号を送信する状態説明図及びリモコン装置の処理手順を示すフローチャート。
【図１９】図１７に示したリモコン装置から信号を受信した空気調和機本体部の処理手順を示すフローチャート。
【符号の説明】
【００４３】
１Ａ〜１Ｇ  リモートコントロール装置
２  液晶表示部
２Ａ  ドットマトリクス表示部
２Ｂ  アイコン表示部
３，４  温度設定ボタン
５  一時間運転ボタン
６  空気清浄の運転，停止ボタン
７  エアコンの運転、停止ボタン
２６  分離枠
２９  メニューボタン
３０  ＣＰＵ
３１  ボタン入力部３１
３２  Ｉ／Ｏポート３２
３３  発振回路
３４  送信部
３５  電池
３６  送受信部
３６Ａ  送信ユニット
３６Ｂ  受光ユニット
４０  空気調和機本体部
４０Ａ  送信ユニット
４０Ｂ  受光ユニット
【図１】
2007101174.tif 000003
【図２】
2007101174.tif 000004
【図３】
2007101174.tif 000005
【図４】
2007101174.tif 000006
【図５】
2007101174.tif 000007
【図６】
2007101174.tif 000008
【図７】
2007101174.tif 000009
【図８】
2007101174.tif 000010
【図９】
2007101174.tif 000011
【図１０】
2007101174.tif 000012
【図１１】
2007101174.tif 000013
【図１２】
2007101174.tif 000014
【図１３】
2007101174.tif 000015
【図１４】
2007101174.tif 000016
【図１５】
2007101174.tif 000017
【図１６】
2007101174.tif 000018
【図１７】
2007101174.tif 000019
【図１８】
2007101174.tif 000020
【図１９】
2007101174.tif 000021